(57)【要約】  表示性能を超えるコンテンツのユーザ装置での受信を避けるため、データ放送システムにおいて、自らの機種情報を伴って、リンク情報の送信を要求するネットワーク接続部を備えたユーザ装置、および、機種情報を受けてコンテンツ表示性能を取得するコンテンツ性能判定部と、リンク情報を、このリンク情報が指し示すコンテンツが当ユーザ装置のコンテンツ表示性能を超えるコンテンツ表示性能を要求するコンテンツであるか否を表す情報を付加してユーザ装置に向けて送信する二次リンク情報送信部とを備えたデータ放送サーバを備える。
2010016128.tif 000002
【特許請求の範囲】
【請求項１】
放送局からの放送を受信する放送受信部と、
放送局から受信したコンテンツであって、ネットワーク上の他のコンテンツを指し示す二次リンク情報を指し示す一次リンク情報を含むコンテンツを表示する表示部と、
前記表示部に表示されたコンテンツ中の一次リンク情報をユーザ操作に応じて指定するユーザ操作部と、
ネットワークに接続されネットワークを介して情報を受送信するネットワーク接続部であって、前記ユーザ操作部により一次リンク情報が指定されたことを受けて、自らの機種情報を伴って、指定された一次リンク情報が指し示す二次リンク情報の送信を要求するネットワーク接続部とを備えたユーザ装置、および、
機種情報と、当該機種のコンテンツ表示性能とが対応付けられた対応情報を記憶する性能記憶部と、
前記ユーザ装置から送信されてきた、該ユーザ装置の機種情報を含む二次リンク情報の送信要求を受けて前記対応情報を参照し、当該ユーザ装置のコンテンツ表示性能を取得して、前記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
前記ユーザ装置から送信要求のあった二次リンク情報を該二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを備えたデータ放送サーバ
を備えたことを特徴とするデータ放送システム。
【請求項２】
前記ネットワーク接続部は、さらに、前記データ放送サーバから送信されてきた前記二次リンク情報を受信し、
前記表示部は、前記二次リンク情報の受信を受けて、該二次リンク情報を表示し、
前記ユーザ操作部は、ユーザ操作に応じて前記表示部に表示された二次リンク情報を指定するものであり、
前記ネットワーク接続部は、前記ユーザ操作部による二次リンク情報が指定されたことを受けて、指定された二次リンク情報が指し示すコンテンツの送信を要求するものであり、
前記データ放送サーバが、前記ネットワーク接続部により要求されたコンテンツを送信するコンテンツ送信部をさらに備えたものであり、
前記表示部が、前記コンテンツ送信部から送信されてきたコンテンツを表示するものであることを特徴とする請求項１記載のデータ放送システム。
【請求項３】
前記性能記憶部が、前記対応情報に、前記コンテンツ表示性能にコンテンツを処理する処理プログラムの有無を含めて記憶するものであり、
前記コンテンツ性能判定部が、前記対応情報を参照し、当該ユーザ装置のコンテンツ表示性能を取得して、前記ユーザ装置から送信要求のあった二次リンク情報が指し示すコンテンツが当該ユーザ装置に無い処理プログラムを要求するコンテンツであるか否かを判定するものであり、
前記データ放送サーバが、前記コンテンツ性能判定部によって、ユーザ装置に無い処理プログラムを要求するコンテンツであると判定された場合に、当該処理プログラムを前記ユーザ装置に送信するものであることを特徴とする請求項１または２記載のデータ放送システム。
【請求項４】
ユーザの操作により、放送局から受信したコンテンツに含まれた一次リンク情報が指定されたことを受けて、自らの機種情報を伴って、指定された一次リンク情報が指し示す二次リンク情報の送信を要求するユーザ装置に対し、該二次リンク情報を送信するデータ放送サーバであって、
機種情報と、当該機種のコンテンツ表示性能とが対応付けられた対応情報を記憶する性能記憶部と、
前記ユーザ装置から送信されてきた、該ユーザ装置の機種情報を含む二次リンク情報の送信要求を受けて前記対応情報を参照し、当該ユーザ装置のコンテンツ表示性能を取得して、前記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
前記ユーザ装置から送信要求のあった二次リンク情報を該二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを備えたことを特徴とするデータ放送サーバ。
【請求項５】
コンピュータに組み込まれて該コンピュータを、ユーザの操作により、放送局から受信したコンテンツに含まれた一次リンク情報が指定されたことを受けて、自らの機種情報を伴って、指定された一次リンク情報が指し示す二次リンク情報の送信を要求するユーザ装置に対し、該二次リンク情報を送信するデータ放送サーバとして機能させるデータ放送プログラムであって、
前記コンピュータ上に、
前記ユーザ装置から送信されてきた、該ユーザ装置の機種情報を含む二次リンク情報の送信要求を受けて、機種情報と、当該機種のコンテンツ表示性能とが対応付けられた対応情報を記憶する性能記憶部の対応情報を参照し、当該ユーザ装置のコンテンツ表示性能を取得して、前記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
前記ユーザ装置から送信要求のあった二次リンク情報を該二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを構築することを特徴とするデータ放送プログラム。
【発明の詳細な説明】
【技術分野】
【０００１】
本件は、データ放送システム、データ放送サーバ、およびデータ放送プログラムに関する。
【背景技術】
【０００２】
デジタル化した画像および音声の信号を地上波で送信する地上デジタルテレビジョン放送では、放送信号の帯域が１３のセグメントに分割されて使用されている。このうち１つのセグメントを利用して、ワンセグ放送と称する主に移動体向けの放送が実施されている。ワンセグ放送の受信機能は、専用のテレビ受信装置だけでなく、パーソナルコンピュータや携帯電話といった情報機器に導入されている。【０００３】
ワンセグ放送では、放送局から地上波で供給される通常のテレビ番組としての画像および音声の他に、付加サービスとして、インターネットといったネットワークを経由して情報を供給するデータ放送が実施されている。データ放送では、放送局から地上波で送信されてくる情報の中にリンク情報が含まれている。このリンク情報は、インターネットを介してアクセス可能なデータ放送サーバ内のコンテンツを指し示している。ユーザ側においてテレビ受信機として機能するユーザ装置は、受信した地上波からリンク情報を取得し、リンク情報に応じたコンテンツをデータ放送サーバから取得して表示する。ワンセグ放送では、放送波で提供される番組の制約を超えて、ユーザ操作に応じたオンデマンド型の情報提供が可能となる。データ放送サーバが提供するコンテンツには、テキストだけでなく、画像および音声が含まれる。ユーザ装置は、画像および音声の再生時には、データ放送サーバからデータを受信するとともに、このデータに対応したデコーダを利用してデータのデコードおよび表示を行う。【０００４】
ネットワーク接続を利用したデータ放送は、放送波による送信の制約を超えて多様な情報をユーザ装置に提供できる反面、ユーザ装置の表示性能が多様な情報に対応できない場合が生じ得る。ユーザ装置が自らの表示能力を超えたコンテンツの受信を選択すると、受信したコンテンツを再生できず、さらに通常の機能にも障害をきたすおそれがある。したがって、ユーザ装置に送信される情報の制限が求められている。【０００５】
送信される情報を制限するものとして、例えば、サーバからユーザ装置に供給するコンテンツにＤＲＭ（Ｄｉｇｉｔａｌ  Ｒｉｇｈｔｓ  Ｍａｎａｇｅｍｅｎｔ）を適用して、コンテンツの再生を制限するシステムが知られている（例えば、特許文献１参照。）。このシステムでは、ユーザ装置がサーバにデジタル署名を送信し、サーバがコンテンツ中のＤＲＭメッセージに署名を挿入する。【０００６】
また、アプリケーションが実行されるユーザ装置と、このユーザ装置からコンテンツ取得要求を受ける画像サーバを有するシステムが知られている（例えば、特許文献２参照。）。このシステムのユーザ装置は、コンテンツ取得時に起動しているアプリケーションの種類を示すアプリケーション情報をコンテンツ取得要求に書き込んでサーバへ送信し、サーバはアプリケーション情報に応じてコンテンツを送信する。
【特許文献１】特開２００４−３４２０８０号公報
【特許文献２】特開２００６−１６３７８０号公報
【発明の開示】
【０００７】
しかしながら、上記のＤＲＭを用いたシステムにおいて、ＤＲＭメッセージはコンテンツに挿入されるものであり、ＤＲＭメッセージ内の署名を変更するため、コンテンツがユーザ装置ごとに修正される必要がある。このため、送信側の処理が複雑となる。また、画像サーバがアプリケーション情報を受信するシステムは、例えば、ワンセグ放送など、ユーザ装置から送信できる情報が制約されている放送に適用することが困難である。
【０００８】
本件開示は、上記事情に鑑み、ユーザ装置からの限られた情報の送信によって、自らの表示性能を超えるコンテンツの受信を避けることができるデータ放送システム、データ放送サーバ、およびデータ放送プログラムを提供することを目的とする。
【０００９】
本件開示のデータ放送システムの基本形態は、
放送局からの放送を受信する放送受信部と、
放送局から受信したコンテンツであって、ネットワーク上の他のコンテンツを指し示す二次リンク情報を指し示す一次リンク情報を含むコンテンツを表示する表示部と、
上記表示部に表示されたコンテンツ中の一次リンク情報をユーザ操作に応じて指定するユーザ操作部と、
ネットワークに接続されネットワークを介して情報を受送信するネットワーク接続部であって、上記ユーザ操作部により一次リンク情報が指定されたことを受けて、自らの機種情報を伴って、指定された一次リンク情報が指し示す二次リンク情報の送信を要求するネットワーク接続部とを備えたユーザ装置、および、
機種情報と、当該機種のコンテンツ表示性能とが対応付けられた対応情報を記憶する性能記憶部と、
上記ユーザ装置から送信されてきた、このユーザ装置の機種情報を含む二次リンク情報の送信要求を受けて上記対応情報を参照し、当該ユーザ装置のコンテンツ表示性能を取得して、上記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
上記ユーザ装置から送信要求のあった二次リンク情報をこの二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを備えたデータ放送サーバ
を備えている。
【００１０】
また、本件開示のデータ放送サーバの基本形態は、
ユーザの操作により、放送局から受信したコンテンツに含まれた一次リンク情報が指定されたことを受けて、自らの機種情報を伴って、指定された一次リンク情報が指し示す二次リンク情報の送信を要求するユーザ装置に対し、この二次リンク情報を送信するデータ放送サーバであって、
機種情報と、当該機種のコンテンツ表示性能とが対応付けられた対応情報を記憶する性能記憶部と、
上記ユーザ装置から送信されてきた、このユーザ装置の機種情報を含む二次リンク情報の送信要求を受けて上記対応情報を参照し、当該ユーザ装置のコンテンツ表示性能を取得して、上記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
上記ユーザ装置から送信要求のあった二次リンク情報をこの二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを備えている。
【００１１】
また、本件開示のデータ放送プログラムの基本形態は、
コンピュータに組み込まれてこのコンピュータを、ユーザの操作により、放送局から受信したコンテンツに含まれた一次リンク情報が指定されたことを受けて、自らの機種情報を伴って、指定された一次リンク情報が指し示す二次リンク情報の送信を要求するユーザ装置に対し、この二次リンク情報を送信するデータ放送サーバとして機能させるデータ放送プログラムであって、
上記コンピュータ上に、
上記ユーザ装置から送信されてきた、このユーザ装置の機種情報を含む二次リンク情報の送信要求を受けて、機種情報と、当該機種のコンテンツ表示性能とが対応付けられた対応情報を記憶する性能記憶部の対応情報を参照し、当該ユーザ装置のコンテンツ表示性能を取得して、上記ユーザ装置から送信要求のあった二次リンク情報が指し示すコンテンツが当該ユーザ装置のコンテンツ表示性能を超えるコンテンツ表示性能を要求するコンテンツであるか否かを判定するコンテンツ性能判定部と、
上記ユーザ装置から送信要求のあった二次リンク情報をこの二次リンク情報が指し示すコンテンツが当該ユーザ装置のコンテンツ表示性能を超えるコンテンツ表示性能を要求するコンテンツであるか否を表す情報を付加して当該ユーザ装置に向けて送信する二次リンク情報送信部とを構築することを特徴とする。
【００１２】
これらの基本形態によれば、ユーザ装置は、自らの機種情報を伴って二次リンク情報の送信を要求し、データ放送サーバは、ユーザ装置のコンテンツ表示性能を超えるか否を表す情報を付加して二次リンク情報を送信する。したがって、ユーザ装置は、自らの表示性能を超えるコンテンツの受信を避けることができる。また、機種情報送信には、例えばワンセグ放送などにおいて既存の、ユーザ装置の機種情報を送信するユーザエージェントを利用することができる。
【図面の簡単な説明】
【００１３】
【図１】データ放送システムの具体的な一実施形態を示す図である。
【図２】図１に示すユーザ装置のハードウェア構成を示すブロック図である。
【図３】図１に示すサーバのハードウェア構成を示すブロック図である。
【図４】図１に示すユーザ装置の主要な機能ブロックの構成を示したブロック図である。
【図５】図１に示すデータ放送サーバの主要な機能ブロックの構成を示したブロック図である。
【図６】データ放送プログラムの構成を示す図である。
【図７】画像表示装置の表示画面に放送局から受信した放送コンテンツが表示された状態を示す図である。
【図８】ユーザエージェントのデータ構成を示す図である。
【図９】性能記憶部に記憶された対応情報を示す図である。
【図１０】図４に示すユーザ装置および図５に示すデータ放送サーバでの処理を示すフローチャートである。
【図１１】図４に示すユーザ装置および図５に示すデータ放送ユーザ装置での処理を示すフローチャートである。
【図１２】図１１とは別の機種であるユーザ装置の画像表示装置の表示画面にサーバから受信したサブメニューが表示された状態を示す図である。
【図１３】ユーザ装置の表示画面に、サーバからデコーダ送信中のメッセージが表示された状態を示す図である。
【図１４】ユーザ装置の表示画面にサーバから送信されてきたコンテンツが表示された状態を示す図である。
【発明を実施するための最良の形態】
【００１４】
以下、本件開示のデータ放送システム、データ放送サーバ、およびデータ放送プログラムの具体的な実施形態について説明する。【００１５】
図１は、データ放送システムの具体的な一実施形態を示す図である。【００１６】
図１に示すデータ放送システムＳは、ワンセグ放送のデータを地上波で送信する放送局１、放送局からの放送を受信するユーザ装置２，３，４、および、ユーザ装置２，３，４と双方向通信を行ってデータ放送の情報を供給するデータ放送サーバ６（以降、単にサーバ６と称する。）を備えている。ユーザ装置２，３，４とサーバ６とはネットワーク７によって接続されている。ネットワーク７は例えばインターネットである。【００１７】
放送局１は、ワンセグ放送のデータを放送波（地上波）によって無線送信する。ユーザ装置２，３，４のそれぞれは、放送局１から送信されてくるデータを受信する。放送局１が送信するデータである放送コンテンツＣ１には、通常のテレビ放送における画像および音声（以降、「画像および音声」を単に「画像」と称する。）のデータが含まれており、ユーザ装置２，３，４は、放送局１から送信されてくるデータを受信・処理して表示する。【００１８】
ここで、放送局１、ユーザ装置２，３，４、およびサーバ６間でのデータの流れの概略を説明する。【００１９】
ユーザ装置２，３，４は、放送コンテンツＣ１の他に、ネットワーク７を介して送信されてくるコンテンツＣ２も受信して表示する。本実施形態では、サーバ６がコンテンツＣ２を格納しており、ユーザ装置２，３，４からの要求に応じてコンテンツＣ２をネットワーク７経由でユーザ装置２，３，４に送信する。ユーザ装置２，３，４はサーバ６に、ネットワーク上のコンテンツＣ２を指し示すリンク情報Ｌ２に応じてコンテンツの送信を要求する。このリンク情報Ｌ２はメニューデータＭ２としてサーバ６から供給される。そしてこのリンク情報Ｌ２が含まれたメニューデータＭ２もまた、ユーザ装置２，３，４からの要求に応じて送信される。ユーザ装置２，３，４はリンク情報Ｌ２が含まれたメニューデータを指し示す別のリンク情報Ｌ１に基づいて、サーバ６にサブメニューデータＭ２の送信を要求する。この別のリンク情報Ｌ１は、放送局１から放送されてくる放送コンテンツＣ１にメニューデータＭ１の形式で含まれている。放送局１から送信されてくる放送コンテンツＣ１に含まれたリンク情報Ｌ１を一次リンク情報と称し、サーバ６から送信されてくるリンク情報Ｌ２を二次リンク情報と称する。【００２０】
つまり、放送局１から放送されてくる放送コンテンツＣ１には、一次リンク情報Ｌ１が含まれており、一次リンク情報Ｌ１は二次リンク情報Ｌ２を指し示す。サーバ６から送信されてくる二次リンク情報Ｌ２はサーバに格納されたコンテンツＣ２を指し示している。二次リンク情報Ｌ２が含まれたメニューデータＭ２をサブメニューデータと称する。【００２１】
放送コンテンツＣ１と異なり、ネットワーク７を介して送信可能なコンテンツＣ２は複数ある。多数のコンテンツを効率よく指し示すため、リンク情報は階層化されている。例えば、放送局１から放送されてくるメニューデータＭ１には、複数のサブメニューデータＭ２を指し示す複数の一次リンク情報Ｌ１が含まれ、複数のサブメニューデータＭ２のそれぞれには、複数の二次リンク情報Ｌ２が含まれる。図１には、指し示される関係（破線で表示）を見やすくするため、一次リンク情報Ｌ１および二次リンク情報Ｌ２がそれぞれ１つずつ示されている。【００２２】
リンク情報Ｌ１，Ｌ２を含むメニューデータＭ１およびサブメニューデータＭ２は、日本電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）によって規定されたＢＭＬ（ｂｒｏａｄｃａｓｔ  ｍａｒｋｕｐ  ｌａｎｇｕａｇｅ）で記述されており、選択可能なコンテンツの一覧を表すメニューとして記述されている。ＢＭＬは、ＸＨＴＭＬ（ｅｘｔｅｎｓｉｂｌｅ  ｈｙｐｅｒｔｅｘｔ  ｍａｒｋｕｐ  ｌａｎｇｕａｇｅ）を基本として規定されたマークアップ言語である。リンク情報Ｌ１，Ｌ２は、ＵＲＬ（ｕｎｉｆｏｒｍ  ｒｅｓｏｕｒｃｅ  ｌｏｃａｔｏｒ）を有している。【００２３】
図２は、図１に示すユーザ装置のハードウェア構成を示すブロック図である。【００２４】
ユーザ装置２，３，４はパーソナルコンピュータであり、構成部品の処理速度やデータの記憶容量といった処理能力が互いに異なっているが、基本的なハードウェア構成は共通である。したがって、処理能力の違いについては後述し、ユーザ装置２を代表して図示し、基本的なハードウェア構成を説明する。【００２５】
ユーザ装置２は、ＣＰＵ２０、メモリ２１、ハードディスク装置２２、画像表示装置２３、キーボード２４、マウス２５、ＣＤ−ＲＯＭドライブ２６、ネットワークＩＦ２７、テレビチューナ２８、および、ＢＩＯＳメモリ２９を備えている。これらは、バス２００を介して相互に接続されている。【００２６】
ＣＰＵ２０はプログラムを実行することによってユーザ装置２内の各部を制御するとともに、各部から出力されたデータを処理する。メモリ２１はＣＰＵ２０で実行されるプログラムやデータを一時的に記憶する。ハードディスク装置２２には各種プログラムやデータが保存されている。画像表示装置２３は表示画面に画像を表示する。キーボード２４はユーザの操作に応じて指示や文字情報を入力し、マウス２５は、ユーザの操作に応じて画像表示装置２３の表示画面上の任意の位置を指定することによりその位置に応じた指示を入力する。ＣＤ−ＲＯＭドライブ２６は、記録媒体としてのＣＤ−ＲＯＭ２６０が装填され、その装填されたＣＤ−ＲＯＭ２６０にアクセスする。ネットワークＩＦ２７は、例えばＩＰに代表される通信プロトコルを用い、ネットワーク７を介してサーバ６に接続する。テレビチューナ２８は、放送局から送信されてくる放送波を受信する。より詳細には、テレビチューナ２８は、各チャネルに応じた周波数帯の電波を選択して受信し、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）復調し、復調した信号をＴＳ（Ｔｒａｎｓｐｏｒｔ  Ｓｔｒｅａｍ）信号の形式で出力する。
ＢＩＯＳメモリ２９は、ユーザ装置２内の各部を動作させる基本的な入出力プログラムであるＢＩＯＳ（ｂａｓｉｃ  ｉｎｐｕｔ／ｏｕｔｐｕｔ  ｓｙｓｔｅｍ）プログラムが記憶されている。またＢＩＯＳメモリ２９には、ユーザ装置の製造時にユーザ装置の製造メーカ、ユーザ装置の機種、個々のユーザ装置を識別するデータが記憶されている。ＢＩＯＳメモリ２９は、例えばフラッシュメモリに代表される不揮発メモリである。【００２７】
図３は、図１に示すサーバのハードウェア構成を示すブロック図である。【００２８】
図３に示すサーバ６は、ＣＰＵ６０、メモリ６１、ハードディスク装置６２、画像表示装置６３、キーボード６４、マウス６５、ＣＤ−ＲＯＭドライブ６６、ネットワークＩＦ６７、およびＢＩＯＳメモリ６９を備えている。これらは、バス６００を介して相互に接続されている。サーバ６は、テレビチューナを備えていない点を除き図２に示すユーザ装置と共通の基本構成を有するコンピュータであり、これ以上の詳細な説明は省略する。ただし、サーバ６は、複数のユーザ装置と同時に通信してコンテンツを供給するため、各部の処理能力がユーザ装置２のものよりも高いものとなっている。【００２９】
図４は、図１に示すユーザ装置の主要な機能ブロックの構成を示したブロック図である。【００３０】
ユーザ装置２は、放送受信部２０１、表示部２０２、ユーザ操作部２０４、ネットワーク接続部２０３、およびＩＤ記憶部２０５を備えている。これらの機能ブロックは、ハードディスク装置２２やＣＤ−ＲＯＭ２６０に記憶されたプログラムがＣＰＵ２０で実行されることによって機能する。ユーザ装置２の他のユーザ装置３，４も、ユーザ装置２と同様の機能ブロックを有している。図２に示すテレビチューナ２８およびＣＰＵ２０の組合せが放送受信部２０１に対応し、図２に示す画像表示装置２３およびＣＰＵ２０の組合せが表示部２０２に対応する。また、図２に示すキーボード２４、マウス２５およびＣＰＵ２０の組合せがユーザ操作部２０４に対応し、図２に示すネットワークＩＦ２７およびＣＰＵ２０の組合せがネットワーク接続部２０３に対応する。また、図２に示すＢＩＯＳメモリ２９がＩＤ記憶部２０５に対応する。【００３１】
放送受信部２０１は、放送局１からの放送を受信する。放送受信部２０１は、より詳細には、チャンネルに対応する放送波を受信して復調し、放送波で搬送された放送コンテンツＣ１を出力する。放送局１から送信されてくる放送コンテンツＣ１（図１参照）には、画像データと、データ放送のコンテンツ受信を開始するためのメニューデータＭ１とが含まれている。【００３２】
表示部２０２は、放送受信部２０１が放送局１から受信した放送コンテンツＣ１を表示する。表示部２０２は、より詳細には、放送受信部２０１で取り出された画像のデータをデコードして画像表示装置２３の表示画面に表示するとともに、データ放送の開始させるためのメニューデータＭ１を画像表示装置２３の表示画面に表示する。表示部２０２は、メニューデータＭ１をユーザ操作部２０４のデータ放送開始操作に応じて表示する。また、表示部２０２は、ネットワーク接続部２０３での受信を受けて二次リンク情報が含まれたメニューデータＭ２や、コンテンツＣ２も表示する。【００３３】
図７は、画像表示装置の表示画面に放送局から受信した放送コンテンツが表示された状態を示す図である。【００３４】
画像表示装置２３の表示画面２３ａのうち左上の領域Ｐ１には、放送局から受信した放送コンテンツＣ１の画像が表示されている。また下の領域Ｐ２には、他チャネルの放送波を選択するためのチャネルボタンが表示されている。また、右上の領域Ｐ３には、メニューデータＭ１が表示されている。メニューデータＭ１は、ＢＭＬで記述されており、メニューデータＭ１が有する複数の一次リンク情報のそれぞれには、選択ボタンとして表示される項目名、項目名に対応したＵＲＬ、および選択ボタンの表示属性が含まれている。一次リンク情報のＵＲＬは、サーバ６に保存された、二次リンク情報を含むサブメニューデータＭ２を指し示している。表示部２０２は、ＢＭＬブラウザとして機能し、ＢＭＬで記述されたメニューデータＭ１を解釈し、右上の領域Ｐ３に表示する。領域Ｐ３には、一次リンク情報のそれぞれに含まれた項目名である”ニュース”、”交通情報”、”番組表”、”占い”、および、”災害情報”が選択ボタンとして表示されている。【００３５】
図４に示すユーザ操作部２０４は、放送コンテンツＣ１のメニューデータＭ１に含まれた一次リンク情報のいずれかをユーザの操作に応じて指定する。より具体的には、ユーザ操作部２０４は、ユーザによるキーボード２４またはマウス２５の操作に応じて、表示部２０２の表示画面２３ａにおける右上の領域Ｐ３に表示された選択ボタンのいずれかが選択されると、選択されたボタンの一次リンク情報に対応したＵＲＬを指定する。ユーザ操作部２０４は、二次リンク情報の指定も一次リンクと同様に行う。【００３６】
ネットワーク接続部２０３は、ネットワーク７に接続され、ネットワーク７を介してデータを受送信する。ネットワーク接続部２０３は、ユーザ操作部２０４により一次リンク情報が指定されたことを受けて、指定された一次リンク情報のＵＲＬが指し示す二次リンク情報の送信を要求する。より詳細には、ネットワーク接続部２０３は、指定されたＵＲＬが示すサーバに対し、二次リンク情報を含むサブメニューデータＭ２の送信を要求する。送信の要求は、サーバ６に対し送信コマンドを送信することによって行われる。この送信コマンドには、自らの情報を挿入するユーザエージェントが含まれている。また、ネットワーク接続部２０３は、ユーザ操作部２０４により二次リンク情報が指定されたことを受けて、指定された二次リンク情報のＵＲＬが指し示すコンテンツの送信を要求し、送信されてきたコンテンツを受信する。【００３７】
ＩＤ記憶部２０５には、ユーザ装置の製造メーカ、ユーザ装置の機種、および個々のユーザ装置をそれぞれ表す、メーカＩＤ、機種ＩＤ、およびシリアル番号が記憶されている。上記のネットワーク接続部２０３は、サーバに送信を要求するとき、ＩＤ記憶部２０５から読み出したデータを送信要求コマンドのユーザエージェントに挿入する。これによって、ネットワーク接続部２０３は自らの機種情報を伴ってデータの送信を要求する。【００３８】
図８は、ユーザエージェントのデータ構成を示す図である。【００３９】
送信要求コマンドに挿入されるユーザエージェント（Ｕｓｅｒ−Ａｇｅｎｔ）は、ＡＲＩＢ  ＴＲ−１４規格によって規定されており、”ＤＰＡ”の文字（３バイト）、ユーザ装置の製造メーカを表すメーカＩＤ（３バイト）、ユーザ装置が搭載するブラウザを表すブラウザ名（２０バイト）、ブラウザメジャーバージョン番号（３バイト）、ブラウザマイナバージョン番号（３バイト）、ユーザ装置の機種を表す機種ＩＤ（２０バイト）、個々のユーザ装置を識別するための受信機ＩＤ（２０バイト）を有している。ネットワーク接続部２０３は、ＩＤ記憶部２０５から、メーカＩＤ、機種ＩＤ、およびシリアル番号を読み出してユーザエージェントのメーカＩＤ、機種ＩＤ、および受信機ＩＤに挿入し、このユーザエージェントが挿入された送信要求コマンドを送信する。【００４０】
図５は、図１に示すデータ放送サーバの主要な機能ブロックの構成を示したブロック図である。【００４１】
サーバ６は、性能記憶部６０１、コンテンツ性能判定部６０２、二次リンク情報送信部６０３、コンテンツ送信部６０４、プログラム送信部６０５、コンテンツ記憶部６０６、プログラム記憶部６０７を備えている。【００４２】
図３に示すメモリ６１およびハードディスク装置６２のそれぞれが性能記憶部６０１に対応し、図３に示すＣＰＵ６０およびネットワークＩＦ６７の組合せが二次リンク情報送信部６０３に対応する。また、図３に示すメモリ６１およびハードディスク装置６２のそれぞれがコンテンツ記憶部６０６に対応し、図３に示すメモリ６１およびハードディスク装置６２のそれぞれがプログラム記憶部６０７に対応する。また、図３に示すＣＰＵ６０およびネットワークＩＦ６７の組合せがコンテンツ送信部６０４に対応し、図３に示すＣＰＵ６０およびネットワークＩＦ６７の組合せがプログラム送信部６０５に対応する。また、図３に示すＣＰＵ６０およびネットワークＩＦ６７の組合せがコンテンツ性能判定部６０２に対応する。【００４３】
性能記憶部６０１は、ユーザ装置の機種情報と、当該機種のコンテンツ表示性能とが対応付けられた対応情報６０１ａを記憶している。データ放送のサービスを受けるユーザ装置は、機種によってコンテンツ表示性能が異なる。本実施形態におけるコンテンツ表示性能はＣＰＵのタイプ、メモリの容量、およびデコーダの有無として表される。【００４４】
図９は、性能記憶部に記憶された対応情報を示す図である。図９には対応情報６０１ａが表形式で示されている。【００４５】
対応情報６０１ａは、メーカＩＤ、機種ＩＤ、ＣＰＵ、メモリ、デコーダＡ、およびデコーダＢの欄を有している。これらのうちメーカＩＤおよび機種ＩＤの組合せが機種情報を表している。また、ＣＰＵ、メモリ、デコーダＡ、およびデコーダＢがコンテンツ表示性能を表している。例えば、メーカＩＤの値が１、機種ＩＤの値が１の場合、ユーザ装置としてＡ社のａ機種を表しており、この機種は、タイプＩＩＩのＣＰＵ、および１２８ＭＢのメモリを搭載していることを表している。また、Ａ社のａ機種は、特定のコンテンツを表示するために必要とされる処理プログラムとしてのデコーダＡおよびデコーダＢのいずれも内蔵（インストール）されていないことを表している。この一方で、Ａ社のｃ機種には、デコーダＡおよびデコーダＢの双方がインストールされている。対応情報６０１ａは、ユーザ装置の製造メーカによる新機種ユーザ装置の発表に応じて追加・更新されていく。【００４６】
コンテンツ性能判定部６０２は、ユーザ装置２，３，４から送信されてきた、ユーザ装置の機種情報が含まれた送信要求を受けて対応情報６０１ａを参照し、ユーザ装置２，３，４のコンテンツ表示性能を取得する。コンテンツ性能判定部６０２は、さらに、送信要求された二次リンク情報が指し示すコンテンツが当該ユーザ装置のコンテンツ表示性能を超えるコンテンツ表示性能を要求するコンテンツであるか否かを判定する。コンテンツ性能判定部６０２はまた、対応情報６０１ａを参照し、送信要求された二次リンク情報が指し示すコンテンツがユーザ装置に無い処理プログラムを要求するコンテンツであるか否かを判定する。【００４７】
二次リンク情報送信部６０３は、ユーザ装置２，３，４から送信要求を受けた二次リンク情報を当該ユーザ装置に向けて送信する。二次リンク情報送信部６０３は、より詳細には、二次リンク情報を含むサブメニューデータＭ２をコンテンツ記憶部６０６から読み出し、必要に応じて編集を行い送信する。サブメニューデータＭ２は、メニューデータＭ１と同様にＢＭＬで記述されており、サブメニューデータＭ２が有する二次リンク情報のそれぞれには、選択ボタンとして表示される項目名、項目名に対応したＵＲＬ、および選択ボタンの表示属性が含まれている。二次リンク情報のＵＲＬは、サーバ６に保存されたコンテンツを指し示している。二次リンク情報送信部６０３は、コンテンツ性能判定部６０２の判定に基づいて、二次リンク情報に、この二次リンク情報が指し示すコンテンツがユーザ装置のコンテンツ表示性能を超える性能を要求するか否を表す情報を付加する。この情報の付加は、選択ボタンの表示属性に、他の項目とは区別して表示させる”ダーク”属性を設定することによって行う。【００４８】
コンテンツ記憶部６０６は、データ放送でユーザ装置に供給されるコンテンツＣ２およびサブメニューデータＭ２が記憶されている。【００４９】
プログラム記憶部６０７は、ユーザ装置がコンテンツをするときに必要な処理プログラムであるデコーダが格納されている。表示に必要なデコーダは、特定の機種のユーザ装置には製造後出荷の時点で予めインストール（プレインストール）されている。ユーザ装置機種ごとのデコーダのインストール状況は、対応情報６０１ａ（図９参照）に示されている。【００５０】
コンテンツ送信部６０４は、ユーザ装置２，３，４のネットワーク接続部２０３から送信要求のあったコンテンツをコンテンツ記憶部６０６から読み出し、ネットワーク７を経由して、要求したユーザ装置に送信する。【００５１】
プログラム送信部６０５は、コンテンツ性能判定部６０２によって、ユーザ装置に無いデコーダを要求するコンテンツであると判定された場合に、当該デコーダをユーザ装置に送信する。【００５２】
図６は、データ放送プログラムの構成を示す図である。【００５３】
ここで、データ放送プログラム９００は、ＣＤ−ＲＯＭ２６０に記憶されており、性能記憶部９０１、コンテンツ性能判定部９０２、二次リンク情報送信部９０３、コンテンツ送信部９０４、プログラム送信部９０５、コンテンツ記憶部９０６、およびプログラム記憶部９０７を備えている。データ放送プログラム９００が、図３に示すＣＰＵ６０で実行されることによって、図５に示す、性能記憶部６０１、コンテンツ性能判定部６０２、二次リンク情報送信部６０３、コンテンツ送信部６０４、プログラム送信部６０５、コンテンツ記憶部６０６、プログラム記憶部６０７が構築される。【００５４】
図１０は、図４に示すユーザ装置および図５に示すデータ放送サーバでの処理を示すフローチャートである。【００５５】
処理の説明では、図１に示す３つのユーザ装置のうちユーザ装置２を例に挙げて説明し、必要に応じて他のユーザ装置３の場合についても説明する。【００５６】
ユーザ装置２では、まず、ユーザ装置２自身の情報取得が実行される（ステップＳ１１）。情報取得では、ネットワーク接続部２０３がＩＤ記憶部２０５からユーザ装置２自身の情報であるメーカＩＤ、機種ＩＤ、およびシリアル番号を読み出す。【００５７】
次に、テレビ放送波受信処理が実行される（ステップＳ１２）。テレビ放送波受信処理では、放送受信部２０１が放送局１（図１参照）から放送波を受信する。また、表示部２０２が、放送受信部２０１によって受信された放送波のコンテンツＣ１を表示する。コンテンツＣ１には画像データおよびメニューデータＭ１が含まれており、表示部２０２は、画像の情報をデコードして表示する。【００５８】
ユーザ操作部２０４が、ユーザによるデータ放送の開始操作を受けると（ステップＳ１３でＹｅｓ）、表示部２０２は、コンテンツＣ１に含まれたメニューデータＭ１を表示する。これによって図７に示すように、表示画面２３ａの領域Ｐ１に通常のテレビ番組が表示され、領域Ｐ３にデータ放送のボタンが表示される。【００５９】
次に、ユーザ操作部２０４が、表示されたボタンのいずれかを選択するリンク選択操作を受けると（ステップＳ１５でＹｅｓ）、ネットワーク接続部２０３がサーバ６と通信を開始する（ステップＳ１６）。サーバ６もユーザ装置２と通信を開始する（ステップＳ３１）。ここで、ユーザ装置２が、例えばネットワーク７に接続されていないといった理由でサーバ６と通信可能でない場合には（ステップＳ１７でＮｏ）、データ放送サービスを受けることがでず、放送波のみの受信となる。この一方、サーバ６と通信可能である場合（ステップＳ１７でＹｅｓ）、ネットワーク接続部２０３は、ユーザエージェントを送信する（ステップＳ１８）。より詳細には、ネットワーク接続部２０３は、サーバ６に、リンク選択操作で選択されたボタンの一次リンク情報が指し示すデータの送信コマンド（送信要求）を送信し、この送信コマンドにはユーザエージェントを挿入する。ユーザエージェントは図８に示したように、メーカＩＤ、機種ＩＤ、および受信機ＩＤの情報を含んでいる。ネットワーク接続部２０３は、上記ステップＳ１１でＩＤ記憶部２０５から読み出したメーカＩＤ、機種ＩＤ、およびシリアル番号をユーザエージェントに挿入して送信コマンドを送信する。【００６０】
サーバ６のコンテンツ性能判定部６０２は、ユーザ装置２から送信コマンドおよびこれに含まれたユーザエージェントを受信すると（ステップＳ３２）、ユーザエージェントに含まれたメーカＩＤが正規のものであるか否か判定する（ステップＳ３３）。ここで、正規とは、ユーザ装置が対応情報６０１ａに登録されたメーカによって製造され、コンテンツ表示性能が把握できることを意味し、例えば自作ＰＣのような、性能把握が困難なユーザ装置と区別するためのものである。正規か否かは、ユーザエージェントに含まれたメーカＩＤが性能記憶部６０１に記憶された対応情報６０１ａにあるか否かによって判定される。【００６１】
メーカＩＤが正規のものであると判定した場合（ステップＳ３３でＹｅｓ）、コンテンツ性能判定部６０２は、機種ＩＤからユーザ装置のコンテンツ表示性能を取得する（ステップＳ３４）。より詳細には、コンテンツ性能判定部６０２は、性能記憶部６０１に記憶された対応情報６０１ａを参照し、ユーザエージェントに含まれたメーカＩＤおよび機種ＩＤの組合せに対応したＣＰＵおよびメモリの種類を得る。また、コンテンツ性能判定部６０２は、このメーカＩＤおよび機種ＩＤの組合せに対応する機種がデコーダＡおよびデコーダＢを有しているか否かの情報も得る。例えば、ユーザエージェントを送信してきたユーザ装置２がＡ社のｂ機種であるとすると、コンテンツ性能判定部６０２は、メーカＩＤおよび機種ＩＤからこのユーザ装置２が、タイプＩＶのＣＰＵおよび２５６Ｍバイトのメモリを有し、デコーダＡがインストールされていると判定する。また、例えば、ユーザエージェントを送信してきたのが別のユーザ装置３がＡ社のａ機種である場合、このユーザ装置３は、タイプＩＩＩのＣＰＵおよび１２８Ｍバイトのメモリが搭載され、デコーダＡ，Ｂのいずれもインストールされていないと判定される。【００６２】
次に、二次リンク情報送信部６０３は、ユーザ装置２から送信要求されたデータであるサブメニューデータを編集し（ステップＳ３５）、ユーザ装置２に送信する（ステップＳ３６）。サブメニューデータは、送信要求に伴って送信されてきたＵＲＬによって指し示された情報であり、コンテンツ記憶部６０６に記憶されている。サブメニューデータは、ＢＭＬで記述されており、画像データであるコンテンツを指し示す二次リンク情報を含んでいる。二次リンク情報のそれぞれは、例えば、”朝ニュース０８：００−１０：００”、”昼ニュース１２：００−１３：００”、”夕方ニュース１７：３０−１９：００”の３つのコンテンツの項目名と、コンテンツを指し示すＵＲＬと、項目の表示属性とを有している。また、サブメニューには、二次リンク情報が指し示すコンテンツごとに、表示に必要なユーザ装置の性能およびデコーダの情報が含まれている。例えば、上記３つのコンテンツのうち、朝ニュースおよび昼ニュースは、タイプＩＶ以上のＣＰＵ、２５６Ｍバイト以上のメモリ、およびデコーダＢが表示に必要であり、夕方ニュースは、タイプＩＩＩ以上のＣＰＵ、１２８Ｍバイト以上のメモリ、およびデコーダＡが表示に必要である。【００６３】
二次リンク情報送信部６０３は、サブメニューデータＭ２を、二次リンク情報が指し示すコンテンツがユーザ装置のコンテンツ表示性能を超えるコンテンツ表示性能を要求するコンテンツであるか否を表す情報を付加して送信する。より詳細には、二次リンク情報送信部６０３は、サブメニューの３つの項目に対応するコンテンツのそれぞれについて、表示に必要な性能が、コンテンツ性能判定部６０２で取得されたユーザ装置のコンテンツ表示性能を超える場合には、項目の表示属性を他の項目とは異なる種類に変更する。表示属性は、例えば、他の項目よりも暗く表示させる”ダーク”属性とする。また、この項目に対応するＵＲＬを削除し空とする。【００６４】
例えば、Ａ社のｂ機種であるユーザ装置２に上述したニュースのサブメニューが送信される場合、このサブメニューについての朝ニュース、昼ニュース、および夕方ニュースのいずれのコンテンツもユーザ装置２のコンテンツ表示性能を超えない。したがって、二次リンク情報送信部６０３は、表示属性を通常の属性とし、ＵＲＬもコンテンツを指し示すものとして維持する。この一方で、Ａ社のａ機種であるユーザ装置３にサブメニューが送信される場合、ユーザ装置３のコンテンツ表示性能を超えるコンテンツである朝ニュースおよび昼ニュースについては、表示属性を”ダーク”属性とし、ＵＲＬを空にする。【００６５】
ユーザ装置２では、ネットワーク接続部２０３が、二次リンク情報送信部６０３で編集されたサブメニューを受信すると、サブメニューを表示する（ステップＳ１９）。【００６６】
図１１は、１つのユーザ装置にサブメニューが表示された状態を示す図である。【００６７】
ユーザ装置２における画像表示装置２３の表示画面２３ａのうち左上の領域Ｐ１には、図７の場合と同様に、放送局から受信した放送コンテンツの画像が表示される。表示画面２３ａの右上の領域Ｐ３には、サブメニューデータが表示されている。サブメニューデータは複数の二次リンク情報を有している。各二次リンク情報に対応して、”朝ニュース０８：００−１０：００”、”昼ニュース１２：００−１３：００”、”夕方ニュース１７：３０−１９：００”の３つのボタンが選択可能に表示されている。【００６８】
ユーザ装置２のユーザ操作部２０４がユーザによる項目選択の操作を受けると（ステップＳ２０でＹｅｓ）、ネットワーク接続部２０３は、ユーザ操作部２０４で選択された項目に対応する二次リンクが指し示すコンテンツの送信を要求する（ステップＳ２１）。例えば、ネットワーク接続部２０３は、図１１に示す領域Ｐ３のうち朝のニュースのボタンが選択されると、朝のニュースに対応するＵＲＬが示すコンテンツの送信を要求する。【００６９】
図１２は、図１１とは別の機種であるユーザ装置３の画像表示装置の表示画面にサーバから受信したサブメニューが表示された状態を示す図である。【００７０】
ユーザ装置３における領域Ｐ３には、サブメニューが表示されている。サブメニューデータは複数の二次リンク情報を有している。各二次リンク情報に対応して、３つのボタンが表示されている。ただし、朝ニュースおよび昼ニュースのボタンは残りのボタンと区別され暗く表示されている。これによって、ユーザ装置３では、朝ニュースおよび昼ニュースを選択できないことが表示される。また、朝ニュースおよび昼ニュースに対応するＵＲＬは空に設定されているので、仮にこれらのボタンが選択されてもコンテンツの送信が要求されない。ユーザ装置３では、夕方ニュースが選択された場合にコンテンツの送信が要求される。このようにして、ユーザ装置３のコンテンツ表示性能を超える性能が求められるコンテンツの受信が避けられる。【００７１】
サーバ６では、ユーザ装置２からＵＲＬに基づいたコンテンツ送信の要求を受けると（ステップＳ３７でＹｅｓ）、コンテンツ性能判定部６０２が、上記ステップＳ３４で対応情報６０１ａを参照して取得したユーザ装置のコンテンツ表示性能のうち、デコーダＡおよびデコーダＢを有しているか否かの情報を参照し、要求されたコンテンツがユーザ装置に無いデコーダを要求するか否かを判定する（ステップＳ３８）。例えば、ユーザ装置２からコンテンツとして朝のニュースの送信が要求されたとすると、この朝のニュースは、Ａ社のｂ機種であるユーザ装置２が有していないデコーダＢを要求すると判定する。【００７２】
プログラム送信部６０５は、コンテンツ性能判定部６０２によって、コンテンツがユーザ装置に無いデコーダを要求すると判定された場合（ステップＳ３８でＮｏ）、コンテンツが要求するデコーダをプログラム記憶部６０７から読み出して、ユーザ装置２に送信する（ステップＳ３９）。この一方、コンテンツ性能判定部６０２によって、コンテンツの処理に要求されるデコーダがユーザ装置にあると判定された場合（ステップＳ３８でＹｅｓ）、デコーダは送信されない。この後、コンテンツ送信部６０４は、要求されたコンテンツをコンテンツ記憶部６０６から読み出してユーザ装置２に送信する（ステップＳ４０）。【００７３】
図１３は、ユーザ装置の表示画面に、サーバからデコーダ送信中のメッセージが表示された状態を示す図である。【００７４】
ユーザ装置２では、ネットワーク接続部２０３がサーバ６からデコーダを受信すると（ステップＳ２２でＹｅｓ）、デコーダを組み込む（ステップＳ２３）。この後、ネットワーク接続部２０３は、コンテンツを受信し、表示部２０２がコンテンツを表示する（ステップＳ２４）。表示部は、サーバ６から受信したデコーダが組み込まれている場合、組み込んだデコーダを利用して受信したコンテンツをデコードする。【００７５】
図１４は、ユーザ装置の表示画面にサーバから送信されてきたコンテンツが表示された状態を示す図である。【００７６】
ユーザ装置２の表示画面２３ａのうち左上の領域Ｐ１には、サーバ６から受信したコンテンツが表示されている。【００７７】
このようにして、ユーザの操作に応じた情報提供が行われる。【００７８】
上述したデータ放送システムＳによれば、ユーザ装置２，３，４は、ユーザ装置２，３，４が有する機種情報を送信することによって、自らのコンテンツ表示性能を超えるコンテンツの受信を避けることができる。また、ユーザ装置がコンテンツの処理に必要なデコーダを有していない場合、サーバからコンテンツに先立ってデコーダが送信される。また、機種情報の送信には、データ放送で既に用いられているユーザエージェントを利用することができるので、サーバの処理を変更するだけで特別なハードウェアの追加をせずに、既存のワンセグ放送におけるデータ放送システムを利用することができる。【００７９】
なお、具体的な各実施形態に対する上記説明では、「発明の開示」で説明した基本形態におけるデータ放送サーバの一例として１つのサーバ６が示されているが、このデータ放送サーバは、１つに限られるものではなく、複数設けられていてもよい。また、データ放送サーバは二次リンク情報を送信するものであればよく、コンテンツを送信しないものであってもよい。【００８０】
また、具体的な各実施形態に対する上記説明では、「発明の開示」で説明した基本形態におけるユーザ装置の一例としてパーソナルコンピュータの例が示されているが、このユーザ装置は、パーソナルコンピュータ以外にも、受信機携帯電話や情報ユーザ装置機器であってもよくテレビ受信機であってもよい。【００８１】
また、具体的な各実施形態に対する上記説明では、「発明の開示」で説明した基本形態における「二次リンク送信が付加する情報」として表示属性を”ダーク”属性ととする例、およびＵＲＬを空にする例が示されているが、この付加される情報は、二次リンク情報に基づいた送信要求が行われないようにするものであればよく、例えば送信要求のロックを表す情報であってもよく、表示には現れない属性として付加するものであってもよい。【００８２】
また、具体的な各実施形態に対する上記説明では、「発明の開示」で説明した基本形態におけるコンテンツ表示性能の一例としてＣＰＵのタイプおよびメモリの容量が示されているが、このコンテンツ表示性能は、クロックスピードやアクセラレータの有無であってもよく、あるいは、ベンチマークのような処理能力の指標値であってもよい。【００８３】
また、具体的な各実施形態に対する上記説明では、「発明の開示」で説明した基本形態におけるネットワークの一例としてインターネットが示されているが、このネットワークはＬＡＮ（ｌｏｃａｌ  ａｒｅａ  ｎｅｔｗｏｒｋ）であってもよく、あるいはＷＡＮ（ｗｉｄｅ  ａｒｅａ  ｎｅｔｗｏｒｋ）であってもよい。【００８４】
また、具体的な各実施形態に対する上記説明では、「発明の開示」で説明した基本形態における対応情報の一例として表形式の対応情報が示されているが、この対応情報は他の形式であってもよい。【００８５】
また、具体的な各実施形態に対する上記説明では、「発明の開示」で説明した基本形態におけるデータ放送プログラムとして、ＣＤ−ＲＯＭ２６０に記憶されたデータ放送プログラムが示されているが、このデータ放送プログラムを記憶する媒体は、プログラムを記憶することができるものであればその種類を問うものではなく、例えばハードディスク装置の磁気ディスクであってもよく、あるいはフレキシブルディスクやＭＯディスクやＤＶＤであってもよく、あるいはカード型やテープ型の記憶媒体であってもよい。また、このデータ放送プログラムは、記憶媒体に記憶されているものに限定されず、例えば通信回線で通信されるものであってもよい。
【図１】
2010016128.tif 000003
【図２】
2010016128.tif 000004
【図３】
2010016128.tif 000005
【図４】
2010016128.tif 000006
【図５】
2010016128.tif 000007
【図６】
2010016128.tif 000008
【図７】
2010016128.tif 000009
【図８】
2010016128.tif 000010
【図９】
2010016128.tif 000011
【図１０】
2010016128.tif 000012
【図１１】
2010016128.tif 000013
【図１２】
2010016128.tif 000014
【図１３】
2010016128.tif 000015
【図１４】
2010016128.tif 000016
【国際調査報告】
2010016128.tif 000017
2010016128.tif 000018
2010016128.tif 000019
2010016128.tif 000020